(57)【要約】【課題】本発明は、利便性を損なうことなく、聴診機能と超音波診断機能を併用できる携帯型の聴診機能付き超音波診断装置を提供する。【解決手段】本発明に係る聴診機能付き超音波診断装置は、被検体内で生じる音響信号を受信するマイクロホン、及び被検体内に向けて超音波を送信すると共に被検体内で反射したエコー信号を受信する超音波探触子３０を有する受信部１１と、前記音響信号及びエコー信号を信号処理する信号処理部と、前記信号処理部により処理された信号を外部装置に送信する送信部と、を備えた聴診機能付き超音波診断装置であって、前記受信部１１は、前記超音波探触子の被検体接触面を保護する保護部材２２を有しており、前記マイクロホンと前記超音波探触子の相対的な位置変更に応じて、前記超音波探触子が前記保護部材から露出する露出位置と、前記超音波探触子が前記保護部材に格納する格納位置との切り替えが行われることを特徴とする。【選択図】図２
2010253257.tif 000002
【特許請求の範囲】
【請求項１】
被検体内で生じる音響信号を受信するマイクロホン、及び被検体内に向けて超音波を送信すると共に被検体内で反射したエコー信号を受信する超音波探触子を有する受信部と、
前記音響信号及びエコー信号を信号処理する信号処理部と、
前記信号処理部により処理された信号を外部装置に送信する送信部と、を備えた聴診機能付き超音波診断装置であって、
前記受信部は、前記超音波探触子の被検体接触面を保護する保護部材を有しており、前記マイクロホンと前記超音波探触子の相対的な位置変更に応じて、前記超音波探触子が前記保護部材から露出する露出位置と、前記超音波探触子が前記保護部材に格納する格納位置との切り替えが行われることを特徴とする聴診機能付き超音波診断装置。
【請求項２】
前記受信部は、前記超音波探触子の格納位置または露出位置において、前記超音波探触子の移動を規制する係止部材をさらに設けていることを特徴とする請求項１記載の聴診機能付き超音波診断装置。
【請求項３】
前記受信部は、前記マイクロホンを固定保持する第１の部材と、前記超音波探触子を固定保持する第２の部材とを有し、前記第１の部材と前記第２の部材とを相対移動させることで前記露出位置と前記格納位置との切り替えが行われることを特徴とする請求項１又は２記載の聴診機能付き超音波診断装置。
【請求項４】
前記保護部材は、前記第１の部材に固定されており、前記保護部材に対する前記第２の部材のスライド又は回動動作に応じて、前記露出位置と前記格納位置との切り替えが行われることを特徴とする請求項３記載の聴診機能付き超音波診断装置。
【請求項５】
前記保護部材は、前記第１の部材における被検体接触面と反対側の面に設けられていることを特徴とする請求項３又は４記載の聴診機能付き超音波診断装置。
【請求項６】
前記受信部と前記送信部との間の信号伝送にケーブルが用いられ、前記第２の部材は、前記受信部側のケーブル端部と接続していることを特徴とする請求項３〜５いずれか１項記載の聴診機能付き超音波診断装置。
【請求項７】
前記超音波探触子が前記露出位置にあるとき、前記超音波探触子の被検体接触面は、前記第１の部材の被検体接触面と異なる平面上にあることを特徴とする請求項３〜６いずれか１項記載の聴診機能付き超音波診断装置。
【発明の詳細な説明】
【技術分野】
【０００１】
本発明は、聴診機能付き超音波診断装置等に関し、特に利便性を損なうことなく、聴診機能と超音波診断機能を併用できる携帯型の聴診機能付き超音波診断装置等に関する。
【背景技術】
【０００２】
近年、超音波診断装置には、一般的なカート移動対応の大型の装置以外に、携帯して持ち運び可能な小型装置も普及するようになっている。さらに、小型化を進めることにより、聴診器と同等に手軽な診断を可能とするため、聴診機能と超音波診断機能を統合させた測定装置が考えられている。
【０００３】
聴診機能と超音波診断機能を統合させた測定装置は、使用者が単一の測定装置によって、少なくとも聴診と超音波等の検査を別々に行うことができる。さらに、無線データ伝送モードによって上記測定装置によって測定された信号が得られるとともに、デジタル化したデータの処理によって、使用者が被験者の生理的状況をより明確に把握できる（例えば特許文献１参照）。
【先行技術文献】
【特許文献】
【０００４】
【特許文献１】特開２００４−３２９９０９公報（図１）
【発明の概要】
【発明が解決しようとする課題】
【０００５】
上述した従来の装置は、手軽に持ち運びが可能となるため、超音波探触子を外部に当てて破損させるおそれが増大しやすくなる問題が生じる。また、聴診機能と超音波診断機能の切り替えを行う際に、超音波診断用ジェルが操作者の手に付着しやすいという操作上の問題も生じる。
【０００６】
そこで、上記の点に鑑み、本発明は、利便性を損なうことなく、聴診機能と超音波診断機能を併用できる携帯型の聴診機能付き超音波診断装置を提供することを目的とする。
【課題を解決するための手段】
【０００７】
上記課題を解決するため、本発明の一態様に係る聴診機能付き超音波診断装置は、被検体内で生じる音響信号を受信するマイクロホン、及び被検体内に向けて超音波を送信すると共に被検体内で反射したエコー信号を受信する超音波探触子を有する受信部と、前記音響信号及びエコー信号を信号処理する信号処理部と、前記信号処理部により処理された信号を外部装置に送信する送信部と、を備えた聴診機能付き超音波診断装置であって、前記受信部は、前記超音波探触子の被検体接触面を保護する保護部材を有しており、前記マイクロホンと前記超音波探触子の相対的な位置変更に応じて、前記超音波探触子が前記保護部材から露出する露出位置と、前記超音波探触子が前記保護部材に格納する格納位置との切り替えが行われることを特徴とする。
【０００８】
上記本発明に係る聴診機能付き超音波診断装置によれば、前記受信部は、前記超音波探触子を格納する保護部材を有し、前記超音波探触子を保護部材の外部に露出させる位置と、前記超音波探触子を保護部材の内部に格納する位置とに切り替えることが可能となる。これにより、聴診機能付き超音波診断装置を持ち運ぶ際に、超音波探触子を保護することが可能となり、超音波探触子を外部に当てて破損させるおそれを低減することができる。
【０００９】
また、本発明の一態様において、前記受信部は、前記超音波探触子の格納位置または露出位置において、前記超音波探触子の移動を規制する係止部材をさらに設けていることも可能である。
また、本発明の一態様において、前記受信部は、前記マイクロホンを固定保持する第１の部材と、前記超音波探触子を固定保持する第２の部材とを有し、前記第１の部材と前記第２の部材とを相対移動させることで前記露出位置と前記格納位置との切り替えが行われることも可能である。
また、本発明の一態様において、前記保護部材は、前記第１の部材に固定されており、前記保護部材に対する前記第２の部材のスライド又は回動動作に応じて、前記露出位置と前記格納位置との切り替えが行われることも可能である。
また、本発明の一態様において、前記保護部材は、前記第１の部材における被検体接触面と反対側の面に設けられていることも可能である。
また、本発明の一態様において、前記受信部と前記送信部との間の信号伝送にケーブルが用いられ、前記第２の部材は、前記受信部側のケーブル端部と接続していることも可能である。
また、本発明の一態様において、前記超音波探触子が前記露出位置にあるとき、前記超音波探触子の被検体接触面は、前記第１の部材の被検体接触面と異なる平面上にあることも可能である。
【発明の効果】
【００１０】
本発明によれば、利便性を損なうことなく、聴診機能と超音波診断機能を併用できる携帯型の聴診機能付き超音波診断装置を提供することができる。
【図面の簡単な説明】
【００１１】
【図１】聴診機能を有する超音波診断装置の模式的図。
【図２】第１の実施形態に係る受信部１１を拡大した斜視図。
【図３】（ａ）は、図２をＡ方向からみた正面図。（ｂ）及び（ｃ）は、図２をＢ方向からみた側面図。
【図４】第２の実施形態に係る受信部１１を拡大した斜視図。
【図５】（ａ）は、図２をＡ方向からみた正面図。（ｂ）及び（ｃ）は、図２をＢ方向からみた側面図。
【図６】聴診機能を有する超音波診断装置の内部構成を示すブロック図。
【図７】（ａ）は第３の実施形態に係る受信部１１を拡大した平面図、（ｂ）は（ａ）をＥ方向からみた側面図、（ｃ）は受信部１１の動作を説明するための模式図。
【図８】（ａ）は第４の実施形態に係る受信部１１を拡大した平面図、（ｂ）は（ａ）をＦ方向からみた側面図、（ｃ）は受信部１１の動作を説明するための模式図。
【発明を実施するための形態】
【００１２】
以下、図面を参照して本発明の実施形態について説明する。
図１は、本発明の第１の実施形態に係る聴診機能を有する超音波診断装置を模式的に示す斜視図である。図２は、図１に示す聴診機能を有する超音波診断装置における受信部１１を拡大した斜視図であり、図３（ａ）は、図２をＡ方向からみた正面図である。また、図３（ｂ）及び（ｃ）は、図２をＢ方向からみた側面図であり、スライド格納式による受信部１１の動作を説明するための模式図である。
【００１３】
まず、図１に示す聴診機能を有する超音波診断装置の構成について説明する。  図１に示すように、聴診機能を有する超音波診断装置は、被検体内で生じる音響信号を受信する聴診機能を備えたマイクロホン、及び被検体内に向けて超音波を送信すると共に被検体内で反射したエコー信号を受信する超音波探触子を有する受信部１１と、この受信部１１からケーブル１９を介して送信される音響信号とエコー信号の信号処理や装置全体の制御を行う中継ユニット１２と、外部通信機器としての画像受信用のＰＤＡ端末１６を有している。
【００１４】
中継ユニット１２は、受信部１１の超音波モード設定や音響ボリューム設定等の様々な設定を行う為の操作部１５、受信部１１への電力供給を行う為のバッテリー（図示せず）、音響信号をイヤホン１４で聞く為の無線通信部（図示せず）及び中継ユニット１２自体を検査者の首に引っ掛けて支持するためのストラップ１３を備えている。なお、無線通信部は、有線接続用のオーディオ端子であってもよい。
【００１５】
中継ユニット１２で信号処理された結果を無線通信にて中継ユニット１２からＰＤＡ端末１６へ送信することにより、ＰＤＡ端末１６において超音波診断画像や心拍波形等を目視確認することができる。
【００１６】
次に、図１に示す受信部１１について図２及び図３（ａ）〜（ｃ）を参照しつつ詳細に説明する。聴診機能を有する超音波診断装置の受信部１１は、スライド格納式による超音波探触子格納構造とされている。
【００１７】
図２に示すように、受信部１１は、聴診機能用のチェストピース部１７（第１の部材）と、このチェストピース部１７の音響収集面と反対側の面に取り付けられたスライド保持部材２２（保護部材）と、このスライド保持部材２２にスライド保持されたハウジング１８（第２の部材）と、このハウジング１８に取り付けられた超音波診断機能用の超音波探触子３０を有している。この超音波探触子３０は超音波信号を送受信する超音波振動子に必要に応じて音響整合層や音響レンズを積層した構成であり、被検体に接触して超音波診断が行われる。また、受信部１１で得たエコー信号及び音響信号は、ケーブル１９を介して図１に示す中継ユニット１２に送信される。
【００１８】
図３（ａ）〜（ｃ）に示すように、チェストピース部１７は、被検体に接触して体内音に応じて振動すると共に特定の音域（特に高音域）を強調するダイアフラム２７（音響収集面）と、前記ダイアフラム２７を通して音響信号を受信するマイクロホン２１とを有し、このマイクロホン２１は、配線によってハウジング１８内に配置された音響信号処理基板２４に電気的に接続されている。また、超音波探触子３０は、配線によってハウジング１８内に配置された超音波制御基板２３に電気的に接続されている。また、音響信号処理基板２４及び超音波制御基板２３は、ケーブル１９内を通る配線によって中継ユニット１２に電気的に接続されている。
【００１９】
図３（ｂ）及び（ｃ）に示すように、トンネルのような形状を有するスライド保持部材２２は、トンネル内をハウジング１８がスライド可能に形成されており、図３（ｂ）に示す位置と図３（ｃ）に示す位置にハウジング１８を保持できるように形成されている。これにより、チェストピース部１７とハウジング１８は、スライド保持部材２２により図２に示すＡ方向に沿って相互に位置変更可能に支持される。図３（ｂ）に示すハウジング１８の位置では、超音波探触子３０がスライド保持部材２２の内部に格納された状態となり、図３（ｃ）に示すハウジング１８の位置では、超音波探触子３０がスライド保持部材２２の外部に露出した状態となる。
【００２０】
スライド保持部材２２におけるハウジング１８の上面部と接する面には凸状の係止部材２５が形成されている。この凸状の係止部材２５は、板バネ等の弾性変形する部材が用いられる。ハウジング１８におけるスライド保持部材２２の内面と接する上面部には第１の凹部２６ａ及び第２の凹部２６ｂが形成されている。図３（ｂ）に示すハウジング１８の位置では、凸状の係止部材２５が第１の凹部２６ａに係止されることによりハウジング１８がスライド保持部材２２に固定されている。図３（ｃ）に示すハウジング１８の位置では、凸状の係止部材２５が第２の凹部２６ｂに係止されることによりハウジング１８がスライド保持部材２２に固定されている。
【００２１】
次いで、スライド格納式による受信部１１の動作を説明する。
チェストピース部１７を被検者に当てて聴診モードでの診断を行う場合は、図３（ｂ）に示す位置にハウジング１８をスライド保持部材２２によって保持する。この際、第１の凹部２６ａに凸状の係止部材２５が嵌ることによってハウジング１８がスライド保持部材２２に固定され、超音波探触子３０がスライド保持部材２２の内部に格納される。
【００２２】
超音波探触子３０を被験者に当てて超音波診断モードでの診断を行う場合は、図３（ｃ）に示すように、ハウジング１８を聴診モードと逆側にスライドさせ、第２の凹部２６ｂに凸状の係止部材２５が嵌ることによってハウジング１８がスライド保持部材２２に固定され、超音波探触子３０がスライド保持部材２２から露出する。
【００２３】
次に、聴診機能を有する超音波診断装置の内部構成について図６に示すブロック図を参照して説明する。
【００２４】
図６に示すように、受信部１１は、複数の超音波トランスデューサー１０と、超音波制御基板２３と、マイクロホン２１と、プリアンプ３５を有する音響信号処理基板２４とを有する。超音波制御基板２３は、各超音波トランスデューサ１０に対応する複数の送受信部２０と、送信制御部４０と、シリアル化部５０とを有する。
【００２５】
複数の超音波トランスデューサー１０は、印加される複数の駆動信号に従って超音波を送信するとともに、伝搬する超音波エコーを受信して複数の受信信号を出力する。各超音波トランスデューサーは、例えば、ＰＺＴ（チタン酸ジルコン酸鉛）に代表される圧電セラミックや、ＰＶＤＦ（ポリフッ化ビニリデン）に代表される高分子圧電素子等の圧電性を有する材料（圧電体）の両端に電極を形成した振動子によって構成される。
【００２６】
そのような振動子の電極に、パルス状または連続波の電圧を印加すると、圧電体が伸縮する。この伸縮により、それぞれの振動子からパルス状または連続波の超音波が発生し、それらの超音波の合成によって超音波ビームが形成される。また、それぞれの振動子は、伝搬する超音波を受信することによって伸縮し、電気信号を発生する。それらの電気信号は、超音波の受信信号として出力される。
【００２７】
複数チャンネルの送受信部２０は、送信制御部４０の制御の下で複数の駆動信号を生成して、それらの駆動信号を複数の超音波トランスデューサー１０に供給するとともに、複数の超音波トランスデューサー１０から出力される複数の受信信号に対して直交検波処理等を施して複素ベースバンド信号として得られたサンプルデータをシリアル化部５０に供給する。また、受信部１１の電源電圧は、受信部１１と中継ユニット１２との間の信号伝送が有線で行われる場合においては、中継ユニット１２における図示しないバッテリーによって供給される。
【００２８】
中継ユニット１２は、シリアル化部５０によって変換されたシリアルのサンプルデータを受信している。受信部１１と中継ユニット１２との間の信号伝送は、例えば、ＡＳＫ（Ａｍｐｌｉｔｕｄｅ  Ｓｈｉｆｔ  Ｋｅｙｉｎｇ）、ＰＳＫ（Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（１６Ｑｕａｄｒａｔｕｒｅ  Ａｍｐｌｉｔｕｄｅ  Ｍｏｄｕｌａｔｉｏｎ）等の通信方式を用いて、有線または無線で行われる。ＡＳＫまたはＰＳＫを用いる場合には、１系統で１チャンネルのシリアルデータを伝送することが可能であり、ＱＰＳＫを用いる場合には、１系統で２チャンネルのシリアルデータを伝送することが可能であり、１６ＱＡＭを用いる場合には、１系統で４チャンネルのシリアルデータを伝送することが可能である。
【００２９】
次いで、中継ユニット１２は、走査制御部７０と、受信フォーカス処理部８０と、Ｂモード画像信号生成部９０と、第１の伝送回路１４０と、操作部１５と制御部１２０と格納部１３０と、波形画像信号生成部１５０と、イコライザ１６０と、アンプ１７０と、第２の伝送回路１８０とを含んでいる。
【００３０】
走査制御部７０は、超音波ビームの送信方向を順次設定して走査制御信号を生成する。走査制御部７０によって生成された走査制御信号は、受信部１１の送信制御部４０に送信される。また、走査制御部７０は、超音波エコーの受信方向を順次設定して、受信フォーカス処理部８０を制御する。
【００３１】
受信フォーカス制御部８０は、受信部１１から受信したサンプルデータに対して受信フォーカス処理を施すことにより、超音波の受信方向に沿った音線信号を生成する。受信フォーカス処理部８０は、メモリ８１と、整相加算部８２とを含んでいる。メモリ８１は、受信部１１から受信したシリアルのサンプルデータをパラレルに変換すると共に順次格納する。整相加算部８２は、走査制御部７０において設定された受信方向に基づいて、複数の受信遅延パターンの中から１つのパターンを選択し、その受信遅延パターンに基づいて、サンプルデータによって表される複素ベースバンド信号に遅延を与えて加算することにより、受信フォーカス処理を行う。この受信フォーカス処理により、超音波エコーの焦点が絞り込まれたベースバンド信号（音線信号）が生成される。
【００３２】
Ｂモード画像信号生成部９０は、受信フォーカス処理部８０によって形成された音線信号に基づいて、検体内の組織に関する断層画像情報であるＢモード画像信号を生成する。Ｂモード画像信号生成部９０は、ＳＴＣ（Ｓｅｎｓｉｔｉｖｉｔｙ  Ｔｉｍｅ  Ｃｏｎｔｒｏｌ）部９１と、ＤＳＣ（Ｄｉｇｉｔａｌ  Ｓｃａｎ  Ｃｏｎｖｅｒｔｅｒ）９２とを含んでいる。ＳＴＣ部９１は、受信フォーカス処理部８０によって形成された音線信号に対して、超音波の反射位置の深度に応じて、距離による減衰の補正を施す。ＤＳＣ９２は、ＳＴＣ部９１によって補正された音線信号を通常のテレビジョン信号の走査方式に従う画像信号に変換（ラスター変換）し、階調処理等の必要な画像処理を施すことにより、Ｂモード画像信号を生成する。このＢモード画像信号生成部９０によって生成されたＢモード画像信号は、第１の伝送回路１４０に送信される。外部表示装置は、例えばＰＤＡやＬＣＤ等のディスプレイ装置を含んでおり、第１の伝送回路１４０から伝送される画像信号を受信することにより超音波診断画像を表示する。
【００３３】
制御部１２０は、操作部１１０を用いたオペレータの操作に従って、走査制御部７０等を制御する。
【００３４】
また、受信部１１におけるチェストピース部１７のマイクロホン２１で得た音響信号は、音響信号処理基板２４のプリアンプ３５にて増幅されてケーブル１９を経由して、中継ユニット１２のイコライザ１６０に伝送される。
【００３５】
イコライザ１６０は、プリアンプ３５から受信した音響信号に対して音響信号の周波数特性を変更および補正する。アンプ１７０は、イコライザ１６０によって形成された音響信号を受信し、受信した音響信号を増幅させ、第２の伝送回路１８０へ送信する。イヤホンは、第２の伝送回路１８０から受信した音響信号を音波に変換している。また、波形画像信号生成部１５０は、プリアンプ３５から受信した音響信号に対して波形画像信号を生成する。この波形画像信号生成部１５０によって生成された波形画像信号は、第１の伝送回路１４０に送信され、外部表示装置によって送信波形画像信号を表示する。
なお、図示はしていないが、Ｂモード画像信号生成部９０以外にドプラ信号の処理回路を設け、ドプラ波形信号を第１の伝送回路１４０から外部表示装置に出力し、ドプラ可聴音に対応する音響信号を第２の伝送回路１８０からイヤホン１４に出力できる構成としても良い。
【００３６】
以上、本発明の第１の実施形態によれば、スライド保持部材２２に超音波探触子３０を格納することにより、聴診機能付き超音波診断装置を持ち運ぶ際に、超音波探触子３０を保護することが可能となり、超音波探触子３０を外部に当てて破損させるおそれを低減することができる。
【００３７】
さらに、聴診機能と超音波診断機能の切り替えを行う際において、超音波診断する場合に用いられる超音波診断用ジェルが操作者の手に付着しやすいといった操作上の問題も解消できる。
さらに、超音波探触子３０の格納位置において、超音波探触子３０の移動を規制する係止部材を設けているので、不用意に超音波探触子３０が露出することがない。
さらに、超音波探触子３０の露出位置において、超音波探触子３０の移動を規制する係止部材を設けているので、超音波診断機能を用いる際において、不用意にチェストピース１７が移動することがない。
さらに、超音波探触子３０を保持するハウジング１８がケーブル１９と接続していることから、超音波探触子３０の露出位置と格納位置の切替をチェストピース部１７とケーブル１９のハウジング１８側端部近傍を持って変更でき、装置全体が小型であっても位置切替の操作性に優れる。
さらに、超音波探触子３０が露出位置にある場合（超音波診断機能を用いる場合）において、超音波診断機能における被検者接触面（超音波探触子３０）が聴診機能における被検者接触面（ダイアフラム２７）と異なる平面上にあるため、超音波探触子３０を走査しても、ジェルがダイアフラム２７に付着しにくく、操作性に優れる。
【００３８】
次に、本発明の第２の実施形態について説明する。
図４は、本発明の第２の実施形態に係る図１に示す聴診機能を有する超音波診断装置における受信部１１を拡大した斜視図であり、図５（ａ）は、図４をＣ方向からみた正面図である。図５（ｂ）及び（ｃ）は、図４をＤ方向からみた側面図であり、回動格納式による受信部１１の動作を説明するための模式図である。
また、図４及び図５において第１の実施形態と同一部分には同一符号を付し、異なる部分についてのみ説明する。
【００３９】
図４に示す聴診機能を有する超音波診断装置の受信部１１は、回動格納式による超音波探触子格納構造であり、チェストピース部１７と、このチェストピース部１７上に取り付けられた回動保持部材３２（保護部材）と、この回動保持部材３２に回動保持されたハウジング１８を有している。ハウジング１８は、回動保持部材３２に設けられた回動支持軸３１によって回動保持部材３２に対して回転自在に形成されている。
【００４０】
図５（ａ）〜（ｃ）に示すように、マイクロホン２１と音響信号処理基板２４を接続する配線の引き回しは、回転保持部材３２及び回動支持軸３１を経由している。
【００４１】
図５（ｂ）及び（ｃ）に示すように、回動保持部材３２は、図５（ｂ）に示す位置と図５（ｃ）に示す位置にハウジング１８を回動保持できるように形成されている。これにより、チェストピース部１７とハウジング１８は、回動保持部材３２により相互に位置変更可能に支持される。図５（ｂ）に示すハウジング１８の位置では、超音波探触子３０が回動保持部材３２の内部に格納された状態となり、図５（ｃ）に示すハウジング１８の位置では、超音波探触子３０が回動保持部材３２の外部に露出した状態となる。
【００４２】
回動保持部材３２におけるハウジング１８の側面部と接する面には凹部３７が形成されている。ハウジング１８における回動保持部材３２と接する側面部には第１の凸状の係止部材３６ａ及び第２の凸状の係止部材３６ｂが形成されている。また、凸状の係止部材３６ａ、３６ｂは、板バネ等の弾性変形する部材が用いられる。図５（ｂ）に示すハウジング１８の位置では、第１の凸状の係止部材３６ａが凹部３７に係止されることによりハウジング１８が回動保持部材３２に固定され、超音波探触子３０が回動保持部材３２によって格納される。図５（ｃ）に示すハウジング１８の位置では、第２の凸状の係止部材３６ｂが凹部３７に係止されることによりハウジング１８が回動保持部材３２に固定され、超音波探触子３０が回動保持部材３２から露出する。
【００４３】
次いで、回動格納式による受信部１１の動作を説明する。
聴診機能を有する超音波診断装置が聴診機能を使用する聴診モードの場合は、図５（ｂ）に示すように、ハウジング１８が回動支持軸３１によって回転し、回動保持部材３２に設けられた凹部３７に第１の凸状の係止部材３６ａが嵌ることによって超音波探触子３０が、回動保持部材３２に格納される。この超音波探触子３０が回動保持部材３２に格納された状態では、チェストピース部２７を被験者に当てる聴診モードでの診断を行う。
【００４４】
聴診機能を有する超音波診断装置が超音波診断機能を使用する超音波診断モードの場合は、図５（ｃ）に示すように、ハウジング１８が回動支持軸３１によって聴診モードと逆側に回転し、回動保持部材３２に設けられた凹部３７に第２の凸状の係止部材３６ｂが嵌ることによって超音波探触子３０が、回動保持部材３２から露出する。この超音波探触子３０が回動保持部材３２から露出される状態では、超音波探触子３０を被験者に当てる超音波診断モードでの診断を行う。
【００４５】
以上、本発明の第２の実施形態においても第１の実施形態と同様の効果を得ることができる。
【００４６】
次に、本発明の第３の実施形態について説明する。
図７（ａ）は、本発明の第３の実施形態に係る図１に示す聴診機能を有する超音波診断装置における受信部１１を拡大した平面図であり、図７（ｂ）は、図７（ａ）をＥ方向からみた側面図であり、図７（ｃ）は、受信部１１の動作を説明するための模式図である。
また、図７において第１の実施形態と同一部分には同一符号を付し、異なる部分についてのみ説明する。
【００４７】
ハウジング１８は、平面方向から見て円形形状であり、円周の一部に超音波探触子３０が形成されている。保護部材４１ａは、チェストピース部１７上に壁状の部材として形成される。チェストピース部１７とハウジング１８は、それぞれの円形中心から外れた位置にある軸４２を介して互いに回動可能に支持されている。チェストピース部１７とハウジング１８が互いに接触する面上には、ハウジング１８側に凸状の係止部材４３が、チェストピース部１７側に凹部４４ａ、４４ｂがそれぞれ形成され、凸状の係止部材４３が凹部４４ａ、４４ｂのいずれかに嵌まることにより、チェストピース部１７に対するハウジング１８の位置を保持することができる。
【００４８】
図７（ａ）及び（ｂ）において、超音波探触子３０は保護部材４１ａに囲まれる格納位置にある。このとき、チェストピース部１７側の凹部４４ａにハウジング１８側の凸状の係止部材４３が嵌まることにより、チェストピース部１７に対してハウジング１８が固定保持される。
【００４９】
また、図７（ｃ）に示すように、チェストピース部１７に対してハウジング１８を反時計方向に回転させることにより、超音波探触子は保護部材４１ａから露出する露出位置となる。このとき、チェストピース部１７側の凹部４４ｂにハウジング１８側の凸状の係止部材４３が嵌まることにより、チェストピース部１７に対してハウジング１８が固定保持される。
【００５０】
以上、本発明の第３の実施形態においても第１の実施形態と同様の効果を得ることができる。
【００５１】
次に、本発明の第４の実施形態について説明する。
図８（ａ）は、本発明の第４の実施形態に係る図１に示す聴診機能を有する超音波診断装置における受信部１１を拡大した平面図であり、図８（ｂ）は、図８（ａ）をＦ方向からみた側面図であり、図８（ｃ）は、受信部１１の動作を説明するための模式図である。
また、図８において第１の実施形態と同一部分には同一符号を付し、異なる部分についてのみ説明する。
【００５２】
ハウジング１８は、平面方向から見て円形形状であり、円周の一部に超音波探触子３０が形成されている。保護部材４１ｂは、平面方向から見てチェストピース部１７と略同一直径の円形形状であり、チェストピース部１７とは軸４２を介して一体的に固定支持されている。チェストピース部１７とハウジング１８は、それぞれの円形中心から外れた位置にある軸４２を介して互いに回動可能に支持されている。チェストピース部１７とハウジング１８が互いに接触する面上には、ハウジング１８側に凸状の係止部材４３が、チェストピース部１７側に凹部４４ａ、４４ｂがそれぞれ形成され、凸状の係止部材４３が凹部４４ａ、４４ｂのいずれかに嵌まることにより、チェストピース部１７に対するハウジング１８の位置を保持することができる。
【００５３】
図８（ａ）及び（ｂ）において、超音波探触子３０は保護部材４１ｂに囲まれる格納位置にある。このとき、チェストピース部１７側の凹部４４ａにハウジング１８側の凸状の係止部材４３が嵌まることにより、チェストピース部１７に対してハウジング１８が固定保持される。
【００５４】
また、図８（ｃ）に示すように、チェストピース部１７に対してハウジング１８を略１８０゜回転させることにより、超音波探触子は保護部材４１ｂから露出する露出位置となる。このとき、チェストピース部１７側の凹部４４ｂにハウジング１８側の凸状の係止部材４３が嵌まることにより、チェストピース部１７に対してハウジング１８が固定保持される。
【００５５】
以上、本発明の第４の実施形態においても第１の実施形態と同様の効果を得ることができる。
【００５６】
なお、本発明は上記実施形態に限定されず、本発明の主旨を逸脱しない範囲内で種々変更して実施することが可能である。
【産業上の利用可能性】
【００５７】
本発明は、聴診機能と超音波診断機能を併用できる携帯型の聴診機能付き超音波診断装置において利用することが可能である。
【符号の説明】
【００５８】
１１・・・受信部、１２・・・中継ユニット、１３・・・ストラップ、１４・・・イヤホン、１７・・・チェストピース部、１８・・・ハウジング、１９・・・ケーブル、３０・・・超音波探触子、２１・・・マイクロホン、２２・・・スライド保持部材、２３・・・超音波制御基板、２４・・・音響信号処理基板、２５，３６ａ，３６ｂ・・・係止部材、２６ａ・・・第１の凹部、２６ｂ・・・第２の凹部、３１・・・回動支持軸、３２・・・回路保持部材、１０・・・超音波トランスデューサー、２０・・・送受信部、５０・・・シリアル化部、４０・・・送信制御部、３５・・・プリアンプ、７０・・・走査制御部、８０・・・受信フォーカス処理部、９０・・・Ｂモード画像信号生成部、１４０・・・第１の伝送回路、１２０・・・制御部、１３０・・・格納部、１５０・・・波形画像信号生成部、１６０・・・イコライザ、１７０・・・アンプ、１８０・・・第２の伝送回路、８１・・・メモリ、８２・・・整相加算部９１・・・ＳＴＣ部、９２・・・ＤＳＣ
【図１】
2010253257.tif 000003
【図２】
2010253257.tif 000004
【図３】
2010253257.tif 000005
【図４】
2010253257.tif 000006
【図５】
2010253257.tif 000007
【図６】
2010253257.tif 000008
【図７】
2010253257.tif 000009
【図８】
2010253257.tif 000010